(57)【要約】【課題】外部からの侵入者に対し、前方、上方、側方等のあらゆる方向からの侵入経路を完全に阻止する。【解決手段】フェンス、塀、門扉、門塀等の包囲部材Ｂの上端に取付される忍び返し具Ａであって、前記包囲部材Ｂに取付可能な基台部１と、この基台部１の上方に所定間隔をあけて設けた複数の忍び返し部２と、より構成してなり、前記忍び返し部２は、上方及び斜め前方に向けて突出させた忍び返し片２１、２２にて形成している。【選択図】図１
2007120216.tif 000002
【特許請求の範囲】
【請求項１】
フェンス、塀、門扉、門塀等の包囲部材の上端に取付される忍び返し具であって、
前記包囲部材に取付可能な基台部と、この基台部の上方に所定間隔をあけて設けた複数の忍び返し部と、より構成してなり、
前記忍び返し部は、上方及び斜め前方に向けて突出させた忍び返し片にて形成したことを特徴とする忍び返し具。
【請求項２】
請求項１において、
斜め前方に向けて突出させた忍び返し片は、上方に向けて突出させた忍び返し片の左、右に分岐して形成してなり、前記斜め前方に向けて突出させた忍び返し片の一片の先端近傍を、隣設される他の斜め前方に向けて突出された忍び返し片の他片の先端近傍と交差して固着してなることを特徴とする忍び返し具。
【請求項３】
請求項１又は２の何れかにおいて、
上方に向けて突出させた忍び返し片の左、右に、側方に向けて突出させた忍び返し片を更に形成したことを特徴とする忍び返し具。
【請求項４】
請求項１〜３の何れかにおいて、
基台部は、取付穴を設けた平板材で形成され、忍び返し部は、平板材を横断面略Ｖ状に折り曲げて形成したことを特徴とする忍び返し具。
【発明の詳細な説明】
【技術分野】
【０００１】
本発明は、フェンス、塀、門扉、門塀等の包囲部材を乗り越えることを防止するための忍び返し具に関する。
【背景技術】
【０００２】
従来、フェンス、塀、門扉、門塀等の包囲部材の上端には、この包囲部材を侵入者等が乗り越えることを防止するための忍び返し具を設けている（例えば、特許文献１参照。）。
【０００３】
この忍び返し具は、包囲部材に応じて様々な構造のものが知られているが、例えば、前記包囲部材の上端に固定する基台部と、この基台部に所定間隔をあけて、上端を鋭利な釘状に形成した金属棒を鉛直方向に向けて複数固定すると共に、この金属棒の適所には、更に先端を鋭利な釘状に形成した忍び返し枝部を外側（包囲部材が設置される敷地境界の外側）に向けて突出させて溶接してなる。
【特許文献１】特開２００３−３０１６２９号公報
【発明の開示】
【発明が解決しようとする課題】
【０００４】
しかしながら、従来の忍び返し具は、侵入者等が乗り越えることを防止するために設けた金属棒及び忍び返し枝部が、鉛直方向及び前方に向けてのみ形成されているに過ぎないものである。
【０００５】
そのため、外部からの侵入者が、例えば、忍び返し具の斜め方向から侵入しようとすれば、その侵入経路を阻止できないという問題があった。
【０００６】
また、これら金属棒及び忍び返し枝部は、何れも金属製棒材を溶接して形成された構造であり、また、前記金属棒の下端を固定する前記基台部にも金属棒が使用されている。
【０００７】
そのため、従来の忍び返し具は、全体の重量が重いため、作業性が悪いうえ、デザイン的な見栄えも悪いという問題があった。
【０００８】
本発明は、かかる課題を解決することを目的とするもので、外部からの侵入者が、忍び返し部の前方、上方、側方等のあらゆる方向から侵入しようとしても、その侵入経路を完全に阻止することができ、全体の重量を軽量化して作業性が良いうえ見栄えも良く、しかも、必要な強度を備えた忍び返し具を提供する。
【課題を解決するための手段】
【０００９】
請求項１に係る忍び返し具は、フェンス、塀、門扉、門塀等の包囲部材の上端に取付される忍び返し具であって、前記包囲部材に取付可能な基台部と、この基台部の上方に所定間隔をあけて設けた複数の忍び返し部と、より構成してなり、前記忍び返し部は、上方及び斜め前方に向けて突出させた忍び返し片にて形成したことを特徴とする。
【００１０】
請求項２に係る忍び返し具は、請求項１において、斜め前方に向けて突出させた忍び返し片は、上方に向けて突出させた忍び返し片の左、右に分岐して形成してなり、前記斜め前方に向けて突出させた忍び返し片の一片の先端近傍を、隣設される他の斜め前方に向けて突出された忍び返し片の他片の先端近傍と交差して固着してなることを特徴とする。
【００１１】
請求項３に係る忍び返し具は、請求項１又は２の何れかにおいて、上方に向けて突出させた忍び返し片の左、右に、側方に向けて突出させた忍び返し片を更に形成したことを特徴とする。
【００１２】
請求項４に係る忍び返し具は、請求項１〜３の何れかにおいて、基台部は、取付穴を設けた平板材で形成され、忍び返し部は、平板材を横断面略Ｖ状に折り曲げて形成したことを特徴とする。
【発明の効果】
【００１３】
本発明によれば、次のような効果がある。
請求項１に係る忍び返し具によれば、忍び返し片を、上方及び斜め前方に突出させているので、外部からの侵入者が、忍び返し部の前方、上方、側方等、全方向から侵入しようとしても、その侵入経路を完全に阻止できる。
【００１４】
請求項２に係る忍び返し具によれば、斜め前方に突出させた忍び返し片の先端近傍を、隣設された忍び返し片の先端近傍と交差して固着しているので、外部からの侵入者に対する侵入経路を完全に阻止できるうえ、忍び返し具全体の剛性を高めることができる。
【００１５】
請求項３に係る忍び返し具によれば、側方に向けて突出させた忍び返し片を更に形成しているので、外部からの侵入者に対する侵入経路を更に完全に阻止できる。
【００１６】
請求項４に係る忍び返し具によれば、基台部及び忍び返し部は、何れも平板材を基材としているので、必要な剛性を備えると共に、軽量化を図ることができる。
【発明を実施するための最良の形態】
【００１７】
以下、本発明に係る忍び返し具を図面とともに説明する。
【実施例１】
【００１８】
図１は、本発明に係る忍び返し具Ａの一実施例が連結された使用状態の斜視図、図２は、図１で示された本発明に係る忍び返し具Ａの斜視図、図３（ａ）、（ｂ）は、図２で示された本発明に係る忍び返し具Ａの正面図及び平面図である。以下、図１〜図３に基づき説明する。
【００１９】
この忍び返し具Ａは、フェンス、塀、門扉、門塀等の包囲部材Ｂの上端に取付されるものであって、包囲部材Ｂに取付可能な基台部１と、この基台部１の上方に所定間隔をあけて設けた複数の忍び返し部２と、よりなる。
【００２０】
基台部１は、金属製の板片１１を横方向に上、下に併設し、これら２つの板片１１を連結するようにして、横断面略Ｖ状に折り曲げた金属製の連結材１２を、板片１１の等間隔の位置に複数固着してなる。
【００２１】
ここでは、板片１１の長さを略５等分するように、５つの連結材１２がスポット溶接で固着されたものを示しているが、連結材１２の数は、包囲部材Ｂの長さ、又は板片１１の長さに応じて適宜変更することが可能である。
【００２２】
板片１１の両端には、連設される他の忍び返し具の板片（不図示）と連結される連結部１３を形成している。
【００２３】
具体的には、板片１１の一端に、その板厚が重合される程度の段部１３ａを上方に向けて形成している。
【００２４】
また、連結部１３には、連結される他の連結部（不図示）と着脱可能な取付穴１３ｂを開設しており、この取付穴１３ｂを通じてボルト、ナット等の取付具で固定すれば、忍び返し具Ａと他の忍び返し具Ａを横方向に向けてズレることなく真っ直ぐに連結することができる。
【００２５】
本実施例では、上段の連結部１３には、連結される他の連結部（不図示）と、ボルト・ナット等の取付具〈不図示〉で連結させるが、下段の連結部１３には、連結される他の連結部（不図示）と、アンカーボルト・コンクリートビス・ネジ・釘等の連結具（不図示）で連結させると共に、当該連結具（不図示）を包囲部材Ｂに固定させて、基台部１を固定するようにしている。なお、忍び返し具Ａの連結は、当該忍び返し具Ａの横長さ及び取り付けられる包囲部材Ｂの長さに応じて適宜決定される。
【００２６】
このように形成した基台部１の上端には、適宜間隔をあけて複数の忍び返し部２が配設されてなる。
【００２７】
また、忍び返し部２には、上方及び斜め前方に向けて突出させた忍び返し片２１、２２を形成してなる。
【００２８】
ここでは、上方に向けて忍び返し片２１を形成すると共に、斜め前方に向けて突出させた忍び返し片２２を、上方に向けて突出させた忍び返し片２１の左、右に分岐して形成してなる。
【００２９】
また、本実施例では、斜め前方に向けて突出させた忍び返し片２２の一片の先端近傍を、隣設される他の斜め前方に向けて突出させた忍び返し片２２の他片の先端近傍と交差してスポット溶接等で固着しており、斜め前方に向けて突出させた忍び返し片２２の強度を高めると同時に、忍び返し具Ａ全体の剛性を高めることができる。
【００３０】
また、ここでの忍び返し部２は、金属製の板片を折り曲げた横断面略Ｖ状に形成することで、その強度を高めたものを例示しているが、必要な強度に応じて、例えば、金属製の板片を折り曲げてＶ状を連設した横断面Ｎ状、Ｗ状、或いはそれ以上に形成しても良い。
【００３１】
このように構成した本発明の忍び返し具Ａは、例えば、以下の要領で施工する。
【００３２】
先ず、図１に示すように、フェンス、塀、門扉、門塀等の包囲部材Ｂの上端に基台部１を載置して、下段の取付穴１３ｂにアンカーボルト・コンクリートビス・ネジ・釘等の連結具（不図示）を打ち込んで、他の下段の取付穴（不図示）と連結させると共に、基台部１を包囲部材Ｂに固定する。
【００３３】
以下、包囲部材Ｂの長さに応じて、同要領で忍び返し具Ａを順次連結して行けば、包囲部材Ｂの上端に忍び返し具Ａを固定して取付けできる。
【００３４】
このように、本発明の忍び返し具Ａによれば、忍び返し片２１、２２を、上方及び斜め前方に突出させているので、外部からの侵入者が、忍び返し部２の前方、上方、側方等、  全方向から侵入しようとしても、その侵入経路を完全に阻止できる。
【００３５】
また、斜め前方に突出させた忍び返し片２２の先端近傍を、隣設された他の忍び返し片２２の先端近傍と交差して固着しているので、斜め前方に向けて突出させた忍び返し片２２の強度を高めると同時に、忍び返し具Ａ全体の剛性を高めることができる。
【００３６】
更に、基台部１及び忍び返し部２は、何れも平板材を基材としているので、必要な剛性を備えると共に、軽量化を図ることができる。
【実施例２】
【００３７】
図４は、本発明に係る忍び返し具Ａの他の実施例を示す使用状態の斜視図である。
【００３８】
なお、図１〜図３と共通する部位には、同一の番号を付して、重複する説明を省略し、ここでは、本実施例の特徴についてのみ説明する。
【００３９】
この忍び返し具Ａは、上方に向けて突出させた忍び返し片２１の左、右に、側方に向けて突出させた忍び返し片２３を更に形成したことを特徴とする。
【００４０】
この側方に向けて突出させた忍び返し片２３は、例えば、先端を鋭利にした金属板で形成され、その基端を上方に向けて突出させた忍び返し片２１に溶接したり、或いは、上方に向けて突出させた忍び返し片２１の一部を側方に向けて切り起して形成すれば容易に形成できる。
【００４１】
この忍び返し具Ａによれば、側方に向けて突出させた忍び返し片２３を更に形成しているので、外部からの侵入者に対する侵入経路を更に完全に阻止できる。
【図面の簡単な説明】
【００４２】
【図１】本発明に係る忍び返し具Ａの一実施例が連結された使用状態の斜視図である。
【図２】図１で示された本発明に係る忍び返し具Ａの斜視図である。
【図３】（ａ）、（ｂ）は、図２で示された本発明に係る忍び返し具Ａの平面図及び側面図である。
【図４】本発明に係る忍び返し具Ａの他の実施例を示す使用状態の斜視図である。
【符号の説明】
【００４３】
Ａ      忍び返し具
Ｂ      包囲部材
１      基台部
１３ｂ  取付穴
２      忍び返し部
２１    忍び返し片（上方）
２２    忍び返し片（斜め前方）
２３    忍び返し片（側方）
【図１】
2007120216.tif 000003
【図２】
2007120216.tif 000004
【図３】
2007120216.tif 000005
【図４】
2007120216.tif 000006